【事件の表示】
　特許第２８７４１８７号「液晶ディスプレイ装置」の請求項１に係る特許に対する特許異議の申立てについて、次のとおり決定する。
【結　論】
　訂正を認める。
　特許第２８７４１８７号の請求項１に係る特許を維持する。
【理　由】
［１］手続の経緯
　特許２８７４１８７号の請求項１に係る発明は、平成１年５月２４日に出願され、平成１１年１月１４日に特許の設定登録がなされ、その後、異議申立人セイコーエプソン株式会社により特許異議の申立てがなされ、取消理由通知がなされ、その指定期間である平成１２年６月１６日に訂正請求がなされた後、訂正拒絶理由通知がなされたものである。
　
［２］訂正の適否についての判断
１．特許権者が求める訂正
訂正事項ａ
　特許請求の範囲を特許請求の範囲の減縮及び明瞭でない記載の釈明を目的として以下のように訂正することを求めるものものである。
　
【請求項１】　垂直方向に平行に配設された複数の第１の信号線と、水平方向に平行に配設された複数の第２の信号線とが設けられ、これらの第１、第２の信号線の各交点にそれぞれ選択素子を介して液晶セルが設けられてなる液晶ディスプレイ装置において、
　上記第１の信号線に対応するシフトレジスタが設けられ、
　入力信号からクロック信号が分離されて上記シフトレジスタに供給され、
　上記シフトレジスタの出力信号にて上記入力信号がサンプリングされて上記第１の信号線に供給されると共に、
　上記シフトレジスタを駆動する上記クロック信号の位相を調整する手段と、
　最高解像度または解像度検出のためのテスト信号となる上記入力信号による表示画像が最良なるように上記クロック信号の位相を制御することができるようにした手段とを設けたことを特徴とする液晶ディスプレイ装置。
　
訂正事項ｂ、ｃ、ｄ、ｈ
　誤記の訂正を目的として、特許公報２頁４欄１２行の「シューティング」を「ジェーディング」に、３頁５欄９行の「セルがＣ１１」を「セルＣ１１」に、３頁５欄９行「設けられ」を「が設けられ」に、３頁５欄４０行の「からを」を「からの」に、訂正することを求めるものである。
　
訂正事項ｅ、ｆ、ｇ、ｉ
　明瞭でない記載の釈明を目的として、特許公報３頁５欄１９行の「が設けられ、」を「と、最高解像度または解像度検出のためのテスト信号となる」に、３頁５欄２０行の「調整」を「制御」に、３頁５欄２１行の「したこと」を「した手段とを設けたこと」に、３頁６欄１１行の「解像度の」を「解像度または解像度検出のための」に、訂正することを求めるものである。
　
２．訂正の目的の適否、新規事項の有無及び拡張・変更の存否
　訂正事項ａは、特許請求の範囲を特許明細書に記載された事項の範囲内において限定しかつ明瞭化したものであり、新規事項の追加に該当せず、また、実質的に特許請求の範囲を拡張又は変更するものではない。
　訂正事項ｂないしｉは、誤記の訂正又は不明瞭な記載の釈明を目的とする訂正であって、新規事項の追加に該当せず、また、実質的に特許請求の範囲を拡張又は変更するものではない。
　
３．独立特許要件
（１）引用刊行物　
　当審が平成１２年７月２４日付けで通知した訂正拒絶理由通知で引用した刊行物１（実願昭６１−１２９７１７号（実開昭６３−３５０９９号）のマイクロフィルム、取消理由通知に引用した刊行物１、審査段階で引用された引用文献１）には以下の事項が記載されている。
「［従来の技術］
　従来の液晶ディスプレイ装置は、第２図に示されるように、アクティブマトリクス液晶１０を駆動するためのサンプルホールドアレイ１２に入力されるクロック信号１３は、ＴＶ映像信号１４を入力するときも、またビデオＲＡＭ２０からコンピュータ映像信号１６を入力するときも、切替えスイッチ１７を介して同一のＰＬＬ（フェーズロックドループ）回路１８から供給されており、コンピュータ映像を発生させる場合のビデオＲＡＭ２０又はシフトレジスタ２２の映像データ送出用クロックタイミングと、ＰＬＬ１８からのクロック出力タイミングとは完全に一致していなかった。
　このようにすることにより、従来は回路の簡易化を行っていた。
［考案が解決しようとする問題点］
従来の問題点
　しかしながら、前述したマトリクスタイプの液晶ディスプレイ装置、特にＴＦＴ（薄膜トランジスタ）を用いたアクティブマトリクスタイプのディスプレイ装置において、アクティブマトリクス液晶１０のＸ軸方向すなわち水平方向の液晶データのサンプリングが、コンピュータ映像の同期信号からのトリガスタートによる固定周波数クロック、あるいはＰＬＬ回路１８からのクロックによっていたため、コンピュータ映像等の精密な表示を行おうとした場合、液晶ディスプレイのドットとコンピュータ映像のドットとが完全に一致せず、意図した正確な映像を発生させることができなかった。」（２頁３行ないし３頁１５行）
　
　同訂正拒絶理由で引用した刊行物２（特開昭５７−４１０７８号公報、取消理由通知書に引用した刊行物２、異議申立人が提出した甲第１号証）には以下の事項が記載されている。
　「第１図はＸ方向にｎ列、Ｙ方向にｍ行の画素をもつ液晶パネル−１０１を駆動するテレビジョンを示している。液晶パネルはｍｎ個のスイッチングトランジスタ−１０２、蓄積用のコンデンサ−１０３、液晶電極−１０４が図のように接続され行ドライバ−１０５、列ドライバ−１０６に接続されている。各列は図のようにＤ１、Ｄ２、・・Ｄｎ、各行はＧＩ、Ｇ２、・・Ｇｍと名を付し以後列Ｇ１のように呼ぶことにする。」（第１頁右下欄第１１行目ないし第１８行目）
　「列ドライバ１０６はｎ段のシフトレジスタ−１０７、ｎ個のサンプルアンドホールド回路−１０８、及びｎ個の増幅器−１０９により構成されている。」（第１頁右下欄第１９行目ないし第２頁左上欄第２行目）
　「サンプルアンドホールド回路−１０８の各段は対応する各段のシフトレジス夕の出力により制御され該出力パルスの立下がりにより映像信号の電圧値をサンプルし次のサンプル時まで(１Ｈの間)ホールドする。」（第２頁左下欄１３行目ないし第１７行目）
　「第５図は本発明によるマトリクステレビジョン同期回路のブロック図である。５０１は同期分離回路でテレビジョンのビデオ信号から複合同期信号を分離する。該出力は周波数分離回路により水平同期信号、垂直同期信号に分離される。５０２は水平同期信号をとり出す分離回路で・・・」（第３頁左下欄第１５行目ないし第２０行目）
　「５０４は位相比較器でＶＣＯ−５０６で発生するパルス列を分周回路５０７により(Ｔ４十Ｔ５)／τで分周したパルスの前縁と、水平同期信号分離回路−５０２により得られる水平同期信号の前縁とを位相比較する。５０５は出力に含まれる高周波成分を除去し該出力はＶＣＯ−５０６の制御端子に印加される。ＶＣＯ−５０６は周期τで発振し、この出力はシフトクロック信号として使われると同時に分周して得られる水平同期信号の原振となる。」（第３頁右下欄第１９行目ないし第４頁左上欄第９行目）
　「５０９はシフトクロック信号としてドライバ群をドライブできるようにレベル、位相等を調整するシフトクロック信号の出力回路である。」（第４頁左上欄第１０行目ないし第１３行目）
　
　同訂正拒絶理由で引用した刊行物３（実願昭５６−２５９００号（実開昭５７−１４１４６９号）のマイクロフィルム）には以下の事項が記載されている。
　「この考案は、テストパターン発生器を使いその映像を被試験ＣＲＴ表示装置に入力し、ＣＲＴの画面を観測者が視認し、テストパターンの例えばくさびの切れ込み具合を判断してＣＲＴ表示装置の解像度を測定する装置に関するものである。」（１頁１６行ないし２頁１行）
　
（２）対比
　訂正請求書の請求項１に係る発明（以下、「訂正請求発明」という。）と刊行物２に記載された発明（以下、「刊行物２発明」という。）とを比較すると、
　両者は、
　「垂直方向に平行に配設された複数の第１の信号線と、水平方向に平行に配設された複数の第２の信号線とが設けられ、これらの第１、第２の信号線の各交点にそれぞれ選択素子を介して液晶セルが設けられてなる液晶ディスプレイ装置において、
　上記第１の信号線に対応するシフトレジスタが設けられ、
　入力信号からクロック信号が分離されて上記シフトレジスタに供給され、
　上記シフトレジスタの出力信号にて上記入力信号がサンプリングされて上記第１の信号線に供給されると共に、
　上記シフトレジスタを駆動する上記クロック信号の位相を調整する手段と、
　を設けた液晶ディスプレイ装置。」
である点で一致し、以下の点で相違している。
　
相違点
　訂正請求発明においては、
「最高解像度または解像度検出のためのテスト信号となる上記入力信号による表示画像が最良なるように上記クロック信号の位相を制御することができるようにした手段」
を設けているのに対して、
　刊行物２においては、
「シフトクロック信号としてドライバ群をドライブできるようにレベル、位相等を調整するシフトクロック信号の出力回路５０９」
を設けている点。
　
（３）判断
　上記訂正拒絶理由通知の指定期間内である平成１２年９月２５日に特許権者は特許異議意見書（訂正拒絶）を提出し、以下のように主張している。
　『・・・異議申立人が指摘する刊行物２のシフトクロック信号の出力回路５０９は、刊行物２中の「ドライバ群をドライブできるように」という記載からも明らかなように「ドライバ群（第１図のシフトレジスタ１０７）をドライブできるように」しているものであり、出力回路５１１から出力されるシフトデータ信号との間で、シフトレジスタ１０７を確実に動作させるためにレベルや位相を調整することを目的としているものです。これは、例えばシフトレジスタ１０７の動作が不安定になるなどの恐れのあるものを回避するための処理であります。
（３）これに対して本願の訂正発明では「ドライバ群をドライブできるように」することは発明の対象外であります。即ち本願の訂正発明のシフトレジスタ２は、スタート信号（刊行物２のシフトデータ信号に相当する）とクロック信号の供給によって確実に動作することを前提としているものです。このことは本願の訂正発明の各図面において、そのスタート信号の入力部分に刊行物２の出力回路５１１に相当する回路等が設けられていないことからも明らかなものであります。』（３頁下から２行目ないし４頁１４行）
　
　そこで、平成１３年１月２２日付けで異議申立人に対して、特許異議意見書及び特許異議意見書（訂正拒絶）の副本並びに取消理由通知書及び訂正拒絶理由通知書のコピーを送付し、審尋を行った。その指定期間内である平成１３年４月２日に異議申立人は回答書を提出し、以下のように主張している。
　『・・・本願発明は、「最高解像度または解像度検出のためのテスト信号となる入力信号による画像表示が最良となるようにクロック信号の位相を
制御する
制御することができるようにした
　つまり、結果的に「最高解像度または解像度検出のためのテスト信号となる入力信号による画像表示が最良となるようにクロック信号の位相を
制御することができる
　そして、刊行物２は、シフトクロック信号の位相を制御することができるので、当然、「最高解像度または解像度検出のためのテスト信号となる入力信号による画像表示が最良となるようにクロック信号の位相を
制御することができる
　・・・
　よって、本願発明は、刊行物１や３を用いるまでもなく、刊行物２に基づいて容易に想到できるものである。
　しかも、刊行物１には、その１０頁第９行目〜１４行目に、「コンピュータ映像のドットタイミングとアクティブマトリクス液晶のサンプリングドットタイミングとが完全に一致するため、ドット粗さによる表示の不正確や不鮮明さのない精密な映像の表示が可能となる。」と記載されている。
　これは、「サンプリングクロックの位相を、映像信号と合うように調整すれば、映像表示が最良となる」ことを示しているに他ならない。
　従って、万が一、刊行物２のみに基づいて本願発明が容易に想到できなかったとしても、サンプリングクロックの位相を調整できる構成が記載されている刊行物２と、サンプリングクロックの位相を映像信号と合うように調整すれば、画像表示が最良となることが記載されている刊行物１とに基づいて、本願発明は容易に想到できたものである。』（３頁５行ないし４頁７行）
　
　上記のように異議申立人は、特許権者が行った刊行物２の技術内容に関する具体的な主張に反論せず、『刊行物２は、シフトクロック信号の位相を制御することができるので、当然、「最高解像度または解像度検出のためのテスト信号となる入力信号による画像表示が最良となるようにクロック信号の位相を
制御することができる
制御することができる
　したがって、刊行物２の「シフトクロック信号としてドライバ群をドライブできるようにレベル、位相等を調整するシフトクロック信号の出力回路５０９」が「最高解像度または解像度検出のためのテスト信号となる入力信号による画像表示が最良となるようにクロック信号の位相を
制御することができる
　
４．むすび
　以上のとおりであるから、上記訂正は平成６年改正特許法附則６条１項の規定によりなお従前の例によるとされる、平成１１年改正前の特許法１２０条の４第３項において準用する平成６年改正法による改正前の特許法（平成５年法）１２６条第１項ただし書き、第２項及び第３項の規定に適合するので、当該訂正を認める。
　
［３］特許異議の申立について
１．本件発明
　特許２８７４１８７号の請求項１に係る発明（以下、「本件発明」という。）は、訂正明細書の請求項１に記載された事項により特定されるとおりのものである。
　
２．申立ての理由の概要
　特許異議申立人セイコーエプソン株式会社は、本件発明の特許は、特開昭５７−４１０７８号公報（甲第１号証、訂正拒絶理由に引用した刊行物２）に記載された発明に基づいて当業者が容易に発明できたものであるから、特許法２９条２項の規定に違反してなされたものである旨主張している。
　
３．判断
　上記「［２］訂正の適否についての判断」「３．独立特許要件」に記載したように、本件発明の特許は、特開昭５７−４１０７８号公報（甲第１号証、訂正拒絶理由に引用した刊行物２）に記載された発明に基づいて当業者が容易に発明できたものということはできないから、特許法２９条２項に違反してなされたものということはできない。
　
４．むすび
　以上のとおりであるから、特許異議申立の理由及び証拠によっては、本件発明の特許を取り消すことはできない。
　また、他に本件発明の特許を取り消すべき理由を発見しない。
　よって、結論のとおり決定する。
【異議決定日】
平成１３年５月１７日（２００１．５．１７）
【訂正の要旨】
訂正の要旨
　▲１▼　訂正事項ａ
　特許請求の範囲に係る記載
「垂直方向に平行に配設された複数の第１の信号線と、水平方向に平行に配設された複数の第２の信号線とが設けられ、これらの第１、第２の信号線の各交点にそれぞれ選択素子を介して液晶セルが設けられてなる液晶ディスプレイ装置において、
　上記第１の信号線に対応するシフトレジスタが設けられ、
　入力信号からクロック信号が分離されて上記シフトレジスタに供給され、
　上記シフトレジスタの出力信号にて上記入力信号がサンプリングされて上記第１の信号線に供給されると共に、
　上記シフトレジスタを駆動する上記クロック信号の位相を調整する手段が設けられ、
　上記入力信号による表示画像が最良となるように上記クロック信号の位相を調整することができるようにしたことを特徴とする液晶ディスプレイ装置。」を、特許請求の範囲の減縮及び明りょうでない記載の釈明を目的として、
「垂直方向に平行に配設された複数の第１の信号線と、水平方向に平行に配設された複数の第２の信号線とが設けられ、これらの第１、第２の信号線の各交点にそれぞれ選択素子を介して液晶セルが設けられてなる液晶ディスプレイ装置において、
　上記第１の信号線に対応するシフトレジスタが設けられ、
　入力信号からクロック信号が分離されて上記シフトレジスタに供給され、
　上記シフトレジスタの出力信号にて上記入力信号がサンプリングされて上記第１の信号線に供給されると共に、
　上記シフトレジスタを駆動する上記クロック信号の位相を調整する手段
と、
　
最高解像度または解像度検出のためのテスト信号となる
制御
手段とを設けた
　▲２▼　訂正事項ｂ
　特許明細書（特許公報）第２頁第４欄１２行「シューティング」とあるを、誤記の訂正を目的として、
「シ
ェ
デ
　▲３▼　訂正事項ｃ
　特許明細書第３頁第５欄８行「セルがＣ１１」とあるを、誤記の訂正を目的として、
「セ
ルＣ
　▲４▼　訂正事項ｄ
　特許明細書第３頁第５欄９行「設けられ」とあるを、誤記の訂正を目的として、
「
が
　▲５▼　訂正事項ｅ
　特許明細書第３頁第５欄１９行「が設けられ、」とあるを、明りょうでない記載の釈明を目的として、
「
と、最高解像度または解像度検出のためのテスト信号となる
　▲６▼　訂正事項ｆ
　特許明細書第３頁第５欄２０行「調整」とあるを、明りょうでない記載の釈明を目的として、
「
制御
　▲７▼　訂正事項ｇ
　特許明細書第３頁第５欄２１行「したこと」とあるを、明りょうでない記載の釈明を目的として、
「した
手段とを設けた
　▲８▼　訂正事項ｈ
　特許明細書第３頁第５欄４０行「からを」とあるを、誤記の訂正を目的として、
「から
の
　▲９▼　訂正事項ｉ
　特許明細書第３頁第６欄１１行「解像度の」とあるを、明りょうでない記載の釈明を目的として、
「解像度
または解像度検出のため
　▲１０▼　訂正事項ｇ
　特許明細書第３頁第６欄４４行「解像度の」とあるを、明りょうでない記載の釈明を目的として、
「解像度
または解像度検出のためのテスト信号となる
（５４）【発明の名称】
液晶ディスプレイ装置
（５７）【特許請求の範囲】
　【請求項１】　垂直方向に平行に配設された複数の第１の信号線と、水平方向に平行に配設された複数の第２の信号線とが設けられ、これらの第１、第２の信号線の各交点にそれぞれ選択素子を介して液晶セルが設けられてなる液晶ディスプレイ装置において、
　上記第１の信号線に対応するシフトレジスタが設けられ、
　入力信号からクロック信号が分離されて上記シフトレジスタに供給され、
　上記シフトレジスタの出力信号にて上記入力信号がサンプリングされて上記第１の信号線に供給されると共に、
　上記シフトレジスタを駆動する上記クロック信号の位相を調整する手段
と、
　
最高解像度または解像度検出のためのテスト信号となる
制御
手段とを設けた
【発明の詳細な説明】
〔産業上の利用分野〕
　本発明は、例えば液晶表示素子をＸ−Ｙマトリクス状に配置して画像の表示を行う液晶ディスプレイ装置に関する。
〔発明の概要〕
　本発明は液晶ディスプレイ装置に関し、入力信号のサンプリングに用いるシフトレジスタの駆動クロック信号の位相を調整する手段を設けることにより、特にコンピュータ等からの画像信号の表示が良好に行われるようにしたものである。
〔従来の技術〕
　例えば液晶を用いてテレビ画像を表示することが提案（特開昭５９−２２０７９３号公報等参照）されている。
　すなわち第５図において、（１）はテレビの映像信号が供給される入力端子で、この入力端子（１）からの信号がそれぞれ例えばＮチャンネルＦＥＴからなるスイッチング素子Ｍ１，Ｍ２・・・Ｍｍを通じて垂直（Ｙ軸）方向のラインＬ１，Ｌ２・・・Ｌｍに供給される。なおｍは水平（Ｘ軸）方向の画素数に相当する数である。さらにｍ段のシフトレジスタ（２）が設けられ、このシフトレジスタ（２）に水平同期信号に相当する水平スタート信号ＨＳと水平周波数のｍ倍の水平クロック信号ΦＨが供給され、このシフトレジスタ（２）の各出力端子からのクロック信号ΦＨによって順次走査される駆動パルス信号φＨ１，φＨ２・・・φＨｍがスイッチング素子Ｍ１〜Ｍｍの各制御端子に供給される。なおシフトレジスタ（２）には低電位（ＶＳＳ）と高電位（ＶＤＤ）が供給され、この２つの電位の駆動パルスが形成される。
　また各ラインＬ１〜Ｌｍにそれぞれ例えばＮチャンネルＦＥＴからなるスイッチング素子Ｍ１１，Ｍ２１・・・Ｍｎ１，Ｍ１２，Ｍ２２・・・Ｍｎ２，・・・Ｍ１ｍ，Ｍ２ｍ・・・Ｍｎｍの一端が接続される。なおｎは水平走査線数に相当する数である。このスイッチング素子Ｍ１１〜Ｍｎｍの他端がそれぞれ液晶セルＣ１１，Ｃ２１・・・Ｃｎｍを通じてターゲット端子（３）に接続される。
　さらにｎ段のシフトレジスタ（４）が設けられ、このシフトレジスタ（４）に垂直同期信号に相当する垂直スタート信号ＶＳと水平周波数の垂直クロック信号ΦＶが供給され、このシフトレジスタ（４）の各出力端子からのクロック信号ΦＶによって順次走査される駆動パルス信号φＶ１，φＶ２・・・φＶｎが、水平（Ｘ軸）方向のゲート線Ｇ１，Ｇ２・・・Ｇｎを通じてスイッチング素子Ｍ１１〜ＭｎｍのＸ軸方向の各列（Ｍ１１〜Ｍ１ｍ），（Ｍ２１〜Ｍ２ｍ）・・・（Ｍｎ１〜Ｍｎｍ）ごとの制御端子にそれぞれ供給される。なお、シフトレジスタ（４）にもシフトレジスタ（２）と同様にＶＳＳとＶＤＤが供給される。
　すなわちこの回路において、シフトレジスタ（２），（４）には第６図Ａ，Ｂに示すようなスタート信号ＨＳ，ＶＳとクロック信号ΦＨ，ΦＶが供給される。そしてシフトレジスタ（２）からは同図Ｃに示すように各画素期間ごとにφＨ１〜φＨｍが出力され、シフトレジスタ（４）からは同図Ｄに示すように１水平期間ごとにφＶ１〜φＶｎが出力される。さらに入力端子（１）には同図Ｅに示すような信号が供給される。
　そしてφＶ１，φＨ１が出力されているときは、スイッチング素子Ｍ１とＭ１１〜Ｍ１ｍがオンされ、入力端子（１）→Ｍ１→Ｍ１１→Ｃ１１→ターゲット端子（３）の電流路が形成されて液晶セルＣ１１に入力端子（１）に供給された信号とターゲット端子（３）との電位差が供給される。このためこのセルＣ１１の容量分に、１番目の画素の信号による電位差に相当する電荷がサンプルホールドされる。この電荷量に対応して液晶の光透過率が変化される。これと同様のことがセルＣ１２〜Ｃｎｍについて順次行われ、さらに次のフィールドの信号が供給された時点で各セルＣ１１〜Ｃｎｍの電荷量が書き換えられる。
　このようにして、映像信号の各画素に対応して液晶セルＣ１１〜Ｃｎｍの光透過率が変化され、これが順次繰り返されてテレビ画像の表示が行われる。
　さらに液晶で表示を行う場合には、一般にその信頼性、寿命を長くするため交流駆動が用いられる。例えばテレビ画像の表示においては、１フィールドまたは１フレームごとに映像信号を反転させた信号を入力端子（１）に供給する。また液晶ディスプレイ装置においては表示の垂直方向のシ
ェ
デ
〔発明が解決しようとする課題〕
　ところが上述の装置において、例えばコンピュータからの画像信号を表示する場合に、コンピュータで形成される画像は１画素ごとに形成された画素間の相換性が無いために、これを表示する場合の解像度が問題になる。
　すなわちコンピュータで形成される画像信号の水平画素数は、通常使用されている機種において６４０画素等に定められており、この水平画素数の液晶ディスプレイ装置を製作することは可能である。しかしながら例えば第７図Ａに示すように１画素ごとに白／黒に変化される画像信号が入力された場合に、スイッチング素子Ｍ１〜Ｍｍに供給される駆動パルス信号φＨ１〜φＨｍが同図Ｂに示すようであれば各液晶セルＣ１１〜Ｃｎｍでは同図Ｃに示すように表示が行われて充分な解像度が得られるものの、駆動パルス信号φＨ１〜φＨｍが同図Ｄに示すようであったときには、各液晶セルＣ１１〜Ｃｎｍは同図Ｅに示すように全て白黒の中間の灰色に表示されてしまい、解像度は０になってしまう。
　これに対して、液晶ディスプレイ装置の水平画素数を増やし、画素信号の水平画素数の２倍以上とすれば常に充分な解像度を得ることができるか、このためにはディスプレイ装置を製作する工作精度を極めて高くする必要が生じ製品の価格上昇を招く。またシフトレジスタ（２）のクロック周波数が２倍以上となり、このようにクロック周波数を高くすると消費電力が極めて増大してしまうおそれがある。
　なお従来コンピュータに接続される液晶ディスプレイでは駆動パルス信号φＨ１〜φＨｍもコンピュータで発生されるクロック信号に基づいて形成されることから上述のような問題は生じない。これに対し本願の対象とするテレビ画像を表示する液晶ディスプレイ装置では供給される画像信号の同期信号から逓倍してクロック信号を形成するため、上述のような画素との位相を合せることが困難となるものである。
　この出願はこのような点に鑑みてなされたものである。
〔課題を解決するための手段〕
　本発明は、垂直方向に平行に配設された複数の第１の信号線Ｌ１，Ｌ２・・・Ｌｍと、水平方向に平行に配設された複数の第２の信号線Ｇ１，Ｇ２・・・Ｇｎとが設けられ、これらの第１、第２の信号線の各交点にそれぞれ選択素子Ｍ１１，Ｍ１２・・・Ｍｎｍを介して液晶セ
ルＣ
が
と、最高解像度または解像度検出のためのテスト信号となる
制御
手段（切換制御端子（１０））とを設けた
〔作用〕
　これによれば、調整手段にてクロック信号の位相が調整されることによって、画素との位相を合せることができ、コンピュータ等からの画像信号の表示を良好に行うことができる。
〔実施例〕
　第１図において、入力端子（１）に供給される画像信号が同期分離回路（５）に供給されて水平・垂直の同期信号が分離され、上述のシフトレジスタ（２），（４）に供給されるスタート信号ＨＳ，ＶＳ及び垂直クロック信号ΦＶが形成される。さらにこの回路（５）で分離された水平同期信号Ｈがクロック発生回路（６）に供給されてｍ倍に逓倍された信号が形成される。この逓倍信号がそれぞれ水平クロック信号ΦＨの半周期の１／５に相当する遅延時間τの遅延手段（７ａ），（７ｂ），（７ｃ），（７ｄ）の直列回路に供給され、これらの遅延手段（７ａ）〜（７ｄ）のそれぞれ入出力端の信号がマルチプレクサ（８）に供給される。そしてこのマルチプレクサ（８）から
の
　従ってこの装置において、遅延手段（７ａ）〜（７ｄ）の入出力端からはそれぞれ第２図Ａに示すように１順次位相の変化された信号が得られ、これらの信号の一つがマルチプレクサ（８）で選択されることによって、同図Ｂに示すような入力画像信号の位相に充分近接した信号が選択される。すなわちこれによってクロック信号が最適の位相に調整され、この調整されたクロック信号ΦＨをシフトレジスタ（２）に供給することができる。
　こうしてこの装置によれば、調整手段にてクロック信号の位相が調整されることによって、画素との位相を合せることができ、コンピュータ等からの画像信号の表示を良好に行うことができるものである。
　なお上述の装置においてシフトレジスタ（２）から出力される駆動パルス信号φＨ１〜φＨｍは、クロック信号ΦＨの反転ごとに発生されるものである。
　またマルチプレクサ（８）での信号の選択は、例えば入力端子（１）に１画素ごとに白／黒に変化される最高解像度
または解像度検出のため
　さらに第３図は他の例を示し、この例は上述のクロック信号の位相調整を自動的に行うことができるようにしたものである。なおこの実施例はいわゆる線順次型の駆動を行う場合で、入力端子（１）からの画像信号がスイッチング素子Ｍａ１〜Ｍａｍでサンプリングされ、バッファアンプＢａ１〜Ｂａｍでホールドされた後、例えば水平ブランキングパルスＨＢＬＫでオンされるスイッチング素子Ｍｂ１〜Ｍｂｍで同時化されてバッファアンプＢｂ１〜Ｂｂｍを通じて信号ラインＬ１〜Ｌｍに供給されている。この場合でも本質的な動作は第１の実施例と同様にされるものである。
　すなわち図において、信号ラインＬ１〜Ｌｍに第２のスイッチング素子ＭＸ１〜ＭＸｍの一端が接続され、これらの素子ＭＸ１〜ＭＸｍの制御端子にそれぞれシフトレジスタ（１１）の出力端子が接続される。またシフトレジスタ（１１）には後述するスタート信号ＸＳとクロック信号ΦＸが供給される。そしてスイッチング素子ＭＸ１〜ＭＸｍの他端が互いに接続され、この接続点の信号が取出される。
　この取出された信号がバッファアンプ（１２）、直流化回路（１３）を通じて比較回路（１４）に供給され、例えば端子（１５）からの基準電位と比較されて、この比較出力がカウンタ（１６）に供給される。このカウント値がラッチ回路（１７）を通じて位相調整手段（１８）の制御端子に供給される。ここで位相調整手段（１８）は上述した遅延手段（７ａ）〜（７ｄ）とマルチプレクサ（８）でもよいが、自動化の場合にはさらに段階数を多くしたり、可変遅延線を用いることもできる。その他の構成は第１の実施例と同様にされる。
　この装置において入力端子（１）に例えば第４図Ａに示すような最高解像度
または解像度検出のためのテスト信号となる
　そしてこの状態でシフトレジスタ（１１）には例えば水平同期信号に相当するスタート信号ＸＳとクロック信号ΦＨの２倍の周期のクロック信号ΦＸが供給されることにより、シフトレジスタ（１１）からは同図Ｄに示すようなパルス信号φＸ１〜φＸｍが出力される。これによってスイッチング素子ＭＸ１〜ＭＸｍの他端の接続点には同図Ｅに示すような信号が取出される。
　ここでこの取出される信号は、駆動パルス信号φＨ１〜φＨｍの位相が画素に一致しているときはＥ１に示すように高レベルになるが、位相がずれているときはＥ２のように低レベルになる。そこでこの信号を例えば整流平滑して直流化することによって位相のずれに相当するレベル信号が得られる。従ってこの信号を用いて位相の自動調整を行うことができる。
　すなわち例えば位相調整回路（１８）が上述の遅延手段（７ａ）〜（７ｄ）とマルチプレクサ（８）の構成で位相が５段階に調整される場合には、カウンタ（１６）が１〜５のリングカウンタとされ、直流化された信号レベルが基準レベル以下のときに比較化（１４）が出力してカウンタ（１６）が“１”増加するようにされる。これによって直流化された信号レベルが基準レベル以下のときにカウンタ（１６）が“１”ずつ増加され、マルチプレクサ（８）での選択が順次切換られる。そして信号レベルが基準レベル以上になると比較回路（１４）からは出力が得られなくなり、カウンタ（１６）は不動となってマルチプレクサ（８）の選択が固定される。
　従って例えば５回の調整期間の間で信号レベルが基準レベル以上になると以後カウンタ（１６）が不動にされ、位相調整されたクロック信号がシフトレジスタ（２）に供給される。なお調整期間の終了後はカウンタ（１６）のカウント値がラッチ回路（１７）にラッチされて、以後の誤動作等が生じないようにされる。また位相調整回路（１８）での段階数はさらに多くしても、カウンタ（１６）のカウント数を同様に多くすることで応用することができる。
　あるいは位相調整回路（１８）を例えば電圧制御型の可変遅延線とした場合には、カウンタ（１６）がアップダウンカウンタとされると共に端子（１５）に前回の信号レベルが保持されて供給され、信号レベルが前回の値より大のときカウンタ（１６）が“１”増加され、信号レベルが前回の値より小のときカウンタ（１６）が“１”減少されるようにされる。そしてこのカウンタ（１６）のカウント値が例えばＤ／Ａ変換されて可変遅延線の制御端子に供給される。
　これによれば信号レベルが最大になるようにクロック信号の位相を調整することができる。なおこの場合も調整期間の終了後はカウンタ（１６）の値がラッチ回路（１７）でラッチされ、このラッチされた値がＤ／Ａ変換されて可変遅延線に供給されるようにされる。
　こうしてこの例によればクロック信号の位相調整を自動化することができる。
　なお上述の自動調整は各垂直ブランキング期間ごとに繰り返し行われるようにしてもよい。
〔発明の効果〕
　この発明によれば、調整手段にてクロック信号の位相が調整されることによって、画素との位相を合せることができ、コンピュータ等からの画像信号の表示を良好に行うことができるようになった。
【図面の簡単な説明】
　第１図は本発明の一例の構成図、第２図はその説明のための図、第３図は他の例の構成図、第４図はその説明のための図、第５図〜第７図は従来の装置の説明のための図である。
　Ｌ１〜Ｌｍは垂直信号線、Ｇ１〜Ｇｎはゲート線、Ｍ１１〜Ｍｎｍ，Ｍ１〜Ｍｍはスイッチング素子、Ｃ１１〜Ｃｎｍは液晶セル、（１）は入力端子、（２）（４）はシフトレジスタ、（５）は同期分離回路、（６）クロック発生回路、（７ａ）〜（７ｄ）は遅延手段、（８）はマルチプレクサである。